(57)【要約】【課題】広告情報をユーザのみならず他者の目に触れる機会をも増加させ、宣伝効果を向上させることが可能な画像形成装置を提供する。【解決手段】第１の記録媒体に原稿画像を形成する原稿画像形成手段と、第２の記録媒体に広告画像を形成する広告画像形成手段と、原稿画像が形成された第１の記録媒体を積層する手段と、広告画像が形成された第２の記録媒体を、広告画像が第１の記録媒体の積層面と同一方向に形成されるよう排出すると共に、積層された第１の記録媒体を包装する外皮となるよう排紙する排紙手段と、を含む。【選択図】図２
2015018105.tif 000002
【特許請求の範囲】
【請求項１】
第１の記録媒体に原稿画像を形成する原稿画像形成手段と、
第２の記録媒体に広告画像を形成する広告画像形成手段と、
前記原稿画像が形成された前記第１の記録媒体を積層する手段と、
前記広告画像が形成された前記第２の記録媒体を、前記広告画像が前記第１の記録媒体の積層面と同一方向に形成されるよう排出すると共に、前記積層された前記第１の記録媒体を包装する外皮となるよう排紙する排紙手段と、
を含むことを特徴とする画像形成装置。
【請求項２】
前記第２の記録媒体の排紙方向の寸法は、少なくとも前記第１の記録媒体の排紙方向の寸法以上を有することを特徴とする請求項１に記載の画像形成装置。
【請求項３】
前記第２の記録媒体は、前記排紙手段に排紙されるとき、折り目が付されることを特徴とする請求項１又は２に記載の画像形成装置。
【請求項４】
前記折り目を付すための後処理手段をさらに含むことを特徴とする請求項３に記載の画像形成装置。
【請求項５】
前記広告画像は、前記第２の記録媒体の両面に形成されることを特徴とする請求項１から４の何れか１項に記載の画像形成装置。
【請求項６】
前記第２の記録媒体は、前記広告画像が形成される領域以外の余白領域を含むことを特徴とする請求項１から５の何れか１項に記載の画像形成装置。
【請求項７】
前記原稿画像の形成に必要な料金を課す手段を含み、前記必要な料金は、前記広告画像が形成されると減額されることを特徴とする請求項１から６の何れか１項に記載の画像形成装置。
【請求項８】
前記広告画像を形成するか否かを選択する手段をさらに含み、前記広告画像を形成することが選択されると、前記必要な料金が減額されることを特徴とする請求項７に記載の画像形成装置。
【請求項９】
第１の記録媒体に原稿画像を形成する工程と、
第２の記録媒体に広告画像を形成する工程と、
前記原稿画像が形成された前記第１の記録媒体を積層する工程と、
前記広告画像が形成された前記第２の記録媒体を、前記広告画像が前記第１の記録媒体の積層面と同一方向に形成されるよう排出すると共に、前記積層された前記第１の記録媒体を包装する外皮となるよう排紙する工程と、
を含むことを特徴とする画像形成方法。
【請求項１０】
コンピュータに、
第１の記録媒体に原稿画像を形成する処理と、
第２の記録媒体に広告画像を形成する処理と、
前記原稿画像が形成された前記第１の記録媒体を積層する処理と、
前記広告画像が形成された前記第２の記録媒体を、前記広告画像が前記第１の記録媒体の積層面と同一方向に形成されるよう排出すると共に、前記積層された前記第１の記録媒体を包装する外皮となるよう排紙する処理と、
を実現させるためのプログラム。
【発明の詳細な説明】
【技術分野】
【０００１】
本発明は、画像形成装置、画像形成方法、及びプログラムに関する。
【背景技術】
【０００２】
近年、複写機を一例とする画像形成装置の普及に伴い、課金装置を備えた複写機がコンビニエンスストア等に多数設置されている。この複写機は、不特定多数のユーザによって使用される。したがって、読み取られた原稿画像に広告画像を付加して印刷することにより、広告の提供者は、一定の広告効果を得ることができる。
【０００３】
そして、原稿画像に広告画像を付加して印刷することにより、複写サービス、又はプリントサービスを無料、又は正規の印刷料金から割り引いてユーザに提供する広告サービスも開始されている。
【０００４】
ここで、特許文献１には、広告印刷の積極的な活用を促す目的で、印刷用紙の余白、用紙の裏、合紙に広告をプリントし、ユーザの印刷料金を減額させる技術が開示されている。
【発明の概要】
【発明が解決しようとする課題】
【０００５】
しかしながら、特許文献１に記載された画像形成装置は、広告を印刷する場合、印刷用紙の余白や裏面、合紙に印刷するものであった。よって、余白や合紙が生じない場合には、広告画像を印刷することができないという問題がある。
【０００６】
また、ユーザが、原稿画像に広告画像を印刷することを希望しない場合も考えられる。さらに、余白や裏面、合紙等に印刷することとしているため、広告スペースが限定されており、余白や裏面に印刷するのみでは、印刷命令を行ったユーザのみしか当該広告を見る機会がなく、印刷された広告によって得られる宣伝効果が小さいものとなるという問題もあった。
【０００７】
そこで、本発明は、上記従来技術の問題点に鑑みてなされたものであって、広告情報を比較的大きな用紙に印刷すると共に、ユーザの目に付きやすい位置に印刷を施すことにより、広告情報をユーザのみならず他者の目に触れる機会をも増加させ、宣伝効果を向上させることが可能な画像形成装置を提供することを目的とする。
【課題を解決するための手段】
【０００８】
上記課題を解決するため、請求項１に記載の本発明における画像形成装置は、第１の記録媒体に原稿画像を形成する原稿画像形成手段と、第２の記録媒体に広告画像を形成する広告画像形成手段と、前記原稿画像が形成された前記第１の記録媒体を積層する手段と、前記広告画像が形成された前記第２の記録媒体を、前記広告画像が前記第１の記録媒体の積層面と同一方向に形成されるよう排出すると共に、前記積層された前記第１の記録媒体を包装する外皮となるよう排紙する排紙手段と、を含むことを特徴とする。
【発明の効果】
【０００９】
本発明によれば、広告情報をユーザのみならず他者の目に触れる機会をも増加させ、宣伝効果を向上させることが可能な画像形成装置を得ることができる。
【図面の簡単な説明】
【００１０】
【図１】本実施形態に係る画像形成装置の全体構成を示す図である。
【図２】本実施形態に係る画像形成装置の印刷終了後の広告画像の排紙位置を示す図である。
【図３】本実施形態に係る画像形成装置の広告画像の（ａ）排紙直後、（ｂ）包装後の印刷状態について説明する図である。
【図４】本実施形態に係る画像形成装置の広告画像のレイアウトについて説明する図である。
【図５】本実施形態に係る画像形成装置の全体構成を示すブロック図である。
【図６】本実施形態に係る画像形成装置の全体の流れを示すフローチャート図である。
【図７】本発明における他の実施形態に係る画像形成装置の印刷終了後の広告画像の排紙位置を示す図である。
【図８】本発明における他の実施形態に係る画像形成装置の広告画像について（ａ）折り目が付いている場合、（ｂ）両面印刷する場合、（ｃ）排紙方向を変えた場合について説明する図である。
【発明を実施するための形態】
【００１１】
次に、本発明を実施するための形態について図面を参照して詳細に説明する。なお、各図中、同一又は相当する部分には同一の符号を付しており、その重複説明は適宜に簡略化乃至省略する。
【００１２】
本発明は、例えば、複写機やプリンタ装置といった画像データを印刷出力する画像形成装置に関するものである。また、その画像形成装置によって記録用紙上に画像形成が行われる際に用いられる画像形成方法に関するものである。さらに、画像形成装置に画像データを印刷出力させるためのプログラムに関するものである。
【００１３】
以下、本発明の実施形態について、図面を参照しつつ具体的に説明する。まず、本実施形態に係る画像形成装置の全体構成について説明する。図１は、本実施形態に係る画像形成装置の全体構成を示す図である。
【００１４】
図１に示す画像形成装置１００は、コンビニエンスストア等に設置され、不特定多数のユーザによって使用される。画像形成装置１００は、複写機１０１と、ユーザに対して課金する課金装置１０２とを備えている。この課金装置１０２はコインベンダーであり、ユーザ自身が課金装置１０２に硬貨を投入し、複写機１０１を操作することにより、原稿をコピーすることができる。ここで課金装置１０２とは、投入された金額を、複写機１０１の操作パネル１０３を通して表示し、投入された金額に応じて複写機１０１の印刷動作を許可する装置である。
【００１５】
次に、本実施形態に係る画像形成装置の全体構成をブロック図に基づいて説明する。図５は、本実施形態に係る画像形成装置の全体構成を示すブロック図である。図５において、複写機１０１は、表示部１１３、広告有無選択部１１４、各種キー１１５、メモリ１１６、タイマ１１７、及びカウンタ１１８から構成されている。また、複写機１０１は、イメージスキャナ部１１９、信号処理部１２０、プリンタ部１２１、広告画像用メモリ１２２、課金用メモリ１２３、判別部１２４、及びトナー付着量検出部１２５から構成されている。
【００１６】
また、課金装置１０２は、制御部１２７、表示部１２８、課金用テーブルメモリ１２９、及び課金用メモリ１３０から構成されている。そして、複写機１０１と課金装置１０２とは、コネクタ１１０によって接続されており、常に相互通信を行うことが可能となっている。複写機１０１側からは、印刷動作中信号、給紙信号、排紙信号等の各種情報が送信され、課金装置１０２側からは、印刷動作の許可、印刷動作の禁止、投入金額等の情報が送信される。
【００１７】
また、コネクタ１１０は、店舗内端末１３１にも接続されており、画像形成装置１００が設置されているコンビニエンスストア等の店舗従業員は、複写機１０１の利用状況、トナー残量、用紙残枚数を、店舗内端末１３１により確認することができる。
【００１８】
複写機１０１はフルカラー複写機であり、原稿を読み取るイメージスキャナ部１１９と、イメージスキャナ部１１９により読み取られた信号を処理する信号処理部１２０と、原稿画像に対応した画像を用紙にプリントするプリンタ部１２１と、を有している。また、複写機１０１は、記録媒体である用紙を収納する給紙トレイ１  １０５から給紙トレイ３  １０７（図１）と、排紙された用紙を積層して保持する排紙トレイ１０４（図１）と、を有している。さらに、複写機１０１は、ユーザによる印刷の設定を行う操作パネル１０３（図１）と、これら各部を配置乃至収納する図示しない本体カバーと、を有する。
【００１９】
実際にユーザによって印刷が開始される際には、複写機１０１上の操作パネル１０３（図１）により、印刷枚数、印刷部数、モノクロ、又はカラーの設定、及び印刷終了時の広告画の印刷の有無が選択される。そして、ユーザの選択に応じて必要とされる料金が操作パネル１０３上に表示され、その金額に応じて課金装置１０２上の硬貨投入口１０８から硬貨が投入される。このとき、必要とされる料金は、操作パネル１０３上で設定した印刷枚数や印刷部数、モノクロ、又はカラーの設定によって変化する。
【００２０】
ここで、印刷終了時の広告画像の印刷を「有」と選択した場合、必要とされる料金から一定の料金が減額された料金が操作パネル１０３上に表示され、印刷終了後、広告画像が印刷された用紙が出力される。ここで、印刷終了時の広告画像の印刷を「無」と選択した場合、料金として通常の金額が表示され、印刷終了時に広告画像は印刷されない。画像形成装置１００は、印刷終了時に用紙１枚分余計に印刷を行うことにより、広告画像を作成する。これにより、ユーザの待ち時間は増加するので、印刷効率が低下してしまうように思われる。
【００２１】
しかしながら、本実施形態に係る画像形成装置１００は、余白部分に印刷される広告等とは異なり、最終印刷用紙に大きな広告スペースを設けることが可能となっている。よって、広告主に対しては、優れた広告宣伝効果が得られるのに見合った相応の料金が課金される。それゆえ、ユーザに対しては、印刷効率が低下するという短所に見合った相応の料金が減額されることになる。
【００２２】
これにより、費用をかけてでも広告宣伝を行いたい企業側と、印刷効率を低下させてでも低廉に印刷料金を済ませたいユーザ側との利害関係が一致することになる。そうすると、印刷効率を低下させてでも低廉な料金で印刷を済ませたいユーザは、積極的に広告印刷を活用するようになり、広告宣伝効果をさらに促進させることが可能となる。
【００２３】
ユーザが操作パネル１０３の表示に従って印刷設定を完了させると、必要とされる料金が要求される。ユーザが投入した硬貨が必要とされる料金に達すると、複写機１０１の印刷動作が許可され印刷が開始される。印刷が開始されると、まず、ユーザが設定した原稿が印刷され排紙トレイ１０４上へ排紙される。ユーザが設定した原稿がすべて印刷出力され次第、広告画像の印刷が開始され、排紙トレイ１０４上へ排紙される。なお、この広告画像は、複写機１０１に予め記憶されている、又は図示しないネットワークを介して送られるものであっても良い。
【００２４】
次に、ユーザが設定した原稿がすべて印刷出力された後の広告画像の排紙について説明する。図２は、本実施形態に係る画像形成装置の印刷終了後の広告画像の排紙位置を示す図である。図２に示すように、広告印刷物１６０は、ユーザが設定した原稿の印刷動作が終了した後に排紙されるため、原稿印刷物１５０が積層された排紙トレイ１０４の最上段に排紙される。また、排紙方向は、複写機１０１を操作しているユーザから見て広告面が上向き、換言すれば、広告印刷物１６０は、原稿印刷物１５０の積層面と同一方向に広告情報が形成されるように排紙される。これにより、排紙された際、広告印刷物１６０はユーザの注目を最も集め易くなるため、ユーザに対する宣伝効果の向上を狙うことができる。また、その原稿印刷物１５０をそのまま移動させた場合であっても最上面に広告印刷物１６０があるため、宣伝効果の向上が期待されるのである。
【００２５】
次に、印刷される広告画像について説明する。図３は、本実施形態に係る画像形成装置の広告画像の（ａ）排紙直後、（ｂ）包装後の印刷状態について説明する図である。また、図４は、本実施形態に係る画像形成装置の広告画像のレイアウトについて説明する図である。
【００２６】
排紙トレイ１０４に排紙される広告印刷物１６０は、図３（ａ）に示すように、排紙直後、原稿印刷物１５０の包装を容易にするため折り目が付されている。これにより、ユーザは大量の印刷を実行した場合に広告印刷物１６０を包装する包装紙（外皮）として容易に利用することができるため、広告印刷物１６０が即座に処分されるといった事態を防止することが可能となる。さらに、図３（ｂ）に示すように、広告印刷物１６０が隠れることなく包装紙として運搬されることにより、印刷を行ったユーザ以外の他者の目に触れる機会が増加する。したがって、広告を出した企業は、宣伝の機会を多く得ることができる。
【００２７】
なお、広告印刷物１６０は、複写機１０１の給紙トレイ１  １０５から給紙トレイ３  １０７にセットされている用紙の中から、原稿印刷物１５０を包装するのに最適なサイズの用紙に印刷されるようにしても良い。原稿印刷物１５０を包装するのに最適なサイズである広告印刷物１６０には折りが付されているので、原稿印刷物１５０を容易に包装することが可能となる。
【００２８】
そして、排紙された広告印刷物１６０は、図４に示す構成となっている。すなわち、中央に折り部分が設けられ、その右側に大きく広告情報、左側に広告情報とメモ欄、パズル・ゲーム欄がそれぞれ設けられている。広告情報は、包装紙として折り曲げられた場合であっても、折り部分によって見え難くならないように配置されている。
【００２９】
広告情報は、原稿印刷物１５０を包装して折り曲げた場合であっても、折り部分を挟んで両面に印刷されているため、運搬の際、ユーザ以外の他者の注意も引き付け易いレイアウトとなっている。また、図４に示すように、広告情報の領域以外の余白領域にメモ欄やパズル欄を設けることにより、処分され難いという効果も期待される。さらに、クイズやパズル等の頭脳ゲームに関する情報が記載された欄やメモ欄を設けることにより、原稿印刷物１５０の包装用としてのみならず、急なメモ書き、暇つぶし等に利用されることも考えられ、その都度、ユーザ自身や近くにいる者の目に付くことになる。
【００３０】
このように、パズル欄やメモ欄を設けることにより、処分され難くするだけでなく、広告の宣伝機会の増加が見込め、宣伝効果の向上も期待される。また、広告印刷物１６０の用紙としては、原稿印刷物１５０の用紙サイズよりも大きめの破れ紙（損紙）の裏面等を使用することにより、無駄紙の利用を避け、資源の節約にも資する。さらに、単なる用紙の裏面や合紙、余白等に印刷される広告と比較して、広告スペース等のレイアウトの制約を受けることが少なくて済み、効率的な広告画像を形成することが可能となる。
【００３１】
次に、本実施形態に係る画像形成装置の動作について説明する。図６は、本実施形態に係る画像形成装置の全体の流れを示すフローチャート図である。
【００３２】
図６において、印刷を実行するユーザが印刷部数や印刷原稿をセットすると、ステップ（以下、「Ｓ」という。）６０１の処理において、原稿の印刷と同時に広告画像を印刷するか否かの選択がなされる。Ｓ６０１において、広告画像を印刷することが選択されると（Ｓ６０１：Ｙ）、Ｓ６０２の処理へ移行し、一定の金額が印刷料金から差し引かれ、残りの料金が課金される。Ｓ６０１において、広告画像を印刷することが選択されないと（Ｓ６０１：Ｎ）、Ｓ６０６の処理へ移行し、通常の料金が課金される。
【００３３】
Ｓ６０２、又はＳ６０６の処理において、課金がなされた後に、広告画像を印刷するか否かを問わず、Ｓ６０３、又はＳ６０７の処理において、印刷ジョブが開始される。そして、広告画像を印刷するか否かを問わず、Ｓ６０４、又はＳ６０８の処理において、印刷ジョブがすべて終了しているか否かの判断がなされる。印刷ジョブがすべて終了していないと判断されると（Ｓ６０４：Ｎ、Ｓ６０８：Ｎ）、Ｓ６０３、又はＳ６０７の処理へ戻り、引き続き印刷ジョブが実行される。印刷ジョブがすべて終了していると判断されると（Ｓ６０４：Ｙ、Ｓ６０８：Ｙ）、次の処理へ移行する。
【００３４】
印刷ジョブが終了し（Ｓ６０４：Ｙ）、Ｓ６０１の処理において、広告画像を印刷することが選択されていた場合（Ｓ６０１：Ｙ）、Ｓ６０５の処理において広告画像が印刷され、上記したように、ユーザから見て広告画像が上向きとなるよう排紙される。なお、Ｓ６０１の処理において、広告画像を印刷することが選択されない（Ｓ６０１：Ｎ）と処理を終了し、1つの印刷ジョブが終了する。
【００３５】
次に、本発明の他の実施形態に係る画像形成装置の広告画像について説明する。図７は、本発明における他の実施形態に係る画像形成装置の印刷終了後の広告画像の排紙位置を示す図である。また、図８は、本発明における他の実施形態に係る画像形成装置の広告画像について（ａ）折り目が付いている場合、（ｂ）両面印刷する場合、（ｃ）排紙方向を変えた場合について説明する図である。
【００３６】
図８（ａ）の広告画像について折り目が付いている場合とは、広告印刷物１６０の用紙サイズが原稿印刷物１５０の用紙サイズと比較して大きく、原稿印刷物１５０の包装が容易となるよう、広告印刷物１６０の両端に折り目が付いている場合である。例えば、原稿印刷物１５０の用紙サイズがＡ４サイズであり、広告印刷物１６０の用紙サイズがＡ３サイズの場合である。原稿印刷物１５０の印刷を実行した後、Ａ３サイズの両端に折り目がついた広告印刷物１６０を印刷して排紙する。上記した図３の実施形態と比較して包装形態にやや難があるが、高い宣伝効果を得ることが期待される。
【００３７】
図８（ｂ）の両面印刷する場合とは、原稿印刷物１５０を印刷する前に、原稿印刷物１５０の用紙サイズと比較して大きな用紙サイズの広告印刷物１６０を印刷する。例えば、原稿印刷物１５０の用紙サイズがＡ４サイズであり、広告印刷物１６０の用紙サイズがＡ３サイズの場合である。広告印刷物１６０は両面印刷を行う方がより宣伝効果が高まる。広告印刷物１６０を両面印刷とすることで、原稿印刷物１５０のユーザと、ユーザ以外の他者に対しても宣伝効果を与えることが可能となる。
【００３８】
図８（ｃ）の排紙方向を変えた場合とは、広告印刷物１６０を印刷した用紙を、原稿印刷物１５０を印刷した用紙と異なる向きに排紙する。このとき、広告印刷物１６０の用紙サイズと原稿印刷物１５０の用紙サイズとは同じ用紙サイズであっても良い。例えば、原稿印刷物１５０の用紙サイズ、及び広告印刷物１６０の用紙サイズを、共にＡ４サイズとする。そして、原稿印刷物１５０の用紙と広告印刷物１６０の用紙との排紙方向を異なるようにする。原稿印刷物１５０と広告印刷物１６０との用紙サイズが異なっていても可能であるが、広告印刷物１６０が原稿印刷物１５０からはみ出るように排紙する必要がある。
【００３９】
図８（ａ）から（ｃ）において、広告印刷物１６０と原稿印刷物１５０との用紙サイズに関し、広告印刷物１６０の排紙方向の寸法は、少なくとも原稿印刷物１５０の排紙方向の寸法以上あれば良いことになる。また、広告印刷物１６０は、原稿印刷物１５０の積層面と同一方向に広告情報が形成されるように排出されている。さらに、広告印刷物１６０は、積層された原稿印刷物１５０を包装する外皮となるように排紙されている。
【００４０】
なお、図３（ａ）の、排紙直後に広告印刷物１６０が折られた状態で排紙トレイ１０４に排出される場合、及び図８（ａ）の、広告印刷物１６０に折り目が付いている場合、広告印刷物１６０を折るための後処理装置（フィニッシャー）１３２（図７）が必要となる。なお、フィニッシャー１３２で用紙を折り曲げる技術は公知であるので、詳細な説明は省略する。
【００４１】
また、図８では、原稿印刷物１５０を包装する広告印刷物１６０の排紙形態として３態様を例示しているが、広告印刷物１６０がユーザ、及び他者の目に付き易く、原稿印刷物１５０を包装可能な状態であれば、如何なる態様であっても良い。
【００４２】
なお、上記実施形態でも述べたように、広告印刷物１６０は、複写機１０１にセットされている用紙の中から、原稿印刷物１５０を包装するのに最適なサイズの用紙に印刷されるようにしても良い。原稿印刷物１５０を包装するのに最適なサイズである広告印刷物１６０には折りが付されているので、原稿印刷物１５０を容易に包装することが可能となる。
【００４３】
また、図６に示した本発明の実施形態における画像形成装置の各動作は、コンピュータ上のプログラムに実現させることもできる。複写機１０１の制御部１２６、及び課金装置１０２の制御部１２７が、それぞれ、メモリ１１６、及び課金用メモリ１３０に格納されたコンピュータにより読み取り可能なプログラムをロードする。そして、プログラムの各処理ステップが順次実行されることによって行われる。
【００４４】
以上述べたように、本実施形態では、広告画像の印刷実行を選択した場合、ユーザは一定の料金を免除される。そして、広告画像は、ユーザから見て原稿印刷物の最上面に上向きに排紙される。これにより、ユーザの料金負担を軽減しつつ、高い宣伝効果を有する広告画像を作成することができる。
【００４５】
本発明では、広告情報を比較的大きな用紙に印刷すると共に、ユーザの目に付きやすい位置に印刷を施している。これにより、広告情報をユーザのみならず他者の目に触れる機会をも増加させ、宣伝効果を向上させることが可能な画像形成装置、画像形成方法、及びプログラムが得られる。
【００４６】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００４７】
１００    画像形成装置
１０１    複写機
１０２    課金装置
１０３    操作パネル
１０４    排紙トレイ
１０５    給紙トレイ１
１０６    給紙トレイ２
１０７    給紙トレイ３
１０８    硬貨投入口
１０９    釣銭取り出し口
１１０    コネクタ
１１１、１１２    Ｉ／Ｆ（インタフェース）
１１３、１２８    表示部
１１４    広告有無選択部
１１５    各種キー
１１６    メモリ
１１７    タイマ
１１８    カウンタ
１１９    イメージスキャナ部
１２０    信号処理部
１２１    プリンタ部
１２２    広告画像用メモリ
１２３、１３０    課金用メモリ
１２４    判別部
１２５    トナー付着量検出部
１２６、１２７    制御部
１２９    課金用テーブルメモリ
１３１    店舗内端末
１３２    後処理装置（フィニッシャー）
１５０    原稿印刷物
１６０    広告印刷物（広告プリント物）
【先行技術文献】
【特許文献】
【００４８】
【特許文献１】特開２０００−３４７５３３号公報
【図１】
2015018105.tif 000003
【図２】
2015018105.tif 000004
【図３】
2015018105.tif 000005
【図４】
2015018105.tif 000006
【図５】
2015018105.tif 000007
【図６】
2015018105.tif 000008
【図７】
2015018105.tif 000009
【図８】
2015018105.tif 000010